(57)【特許請求の範囲】
【請求項１】
記憶媒体に記憶された映像コンテンツを、通常再生モードを含む複数の再生モードのうちユーザから指定された再生モードで再生する再生装置であって、
前記通常再生モードにおいてユーザから指示された再生速度で前記映像コンテンツを再生することにより、該映像コンテンツの映像を表示画面に表示させるとともに該映像と同期した音声を出力させる再生手段と、
前記通常再生モードにおいてユーザから再生速度の変更が指示された場合、変更後の再生速度を記憶する記憶手段と、
前記通常再生モードにおいてユーザから再生速度の変更が指示された場合、変更後の再生速度を示す情報を前記表示画面に表示する速度情報表示手段と、を備え、
前記再生手段は、前記通常再生モードでの前記映像コンテンツの再生開始時において、前記記憶手段に記憶された再生速度で前記映像コンテンツの再生を開始し、
前記速度情報表示手段は、前記通常再生モードでの前記映像コンテンツの再生開始時において、前記記憶手段に記憶された再生速度が所定の標準速度の場合には、該所定の標準速度を示す情報を前記表示画面に表示せず、前記記憶手段に記憶された再生速度が前記所定の標準速度以外の場合には、前記記憶手段に記憶された再生速度を示す情報を前記表示画面に表示する
ことを特徴とする再生装置。
【請求項２】
請求項１に記載の再生装置であって、
前記通常再生モードでの前記映像コンテンツの再生開始時は、前記通常再生モード以外の再生モードから前記通常再生モードへの前記映像コンテンツの再生モードの変更時を含む
ことを特徴とする再生装置。
【請求項３】
請求項１又は請求項２に記載の再生装置であって、
前記速度情報表示手段は、再生速度を示す情報を表示する場合、再生速度の変更に必要な操作を案内する情報を、前記表示画面に表示する
ことを特徴とする再生装置。
【請求項４】
請求項１〜請求項３の何れかに記載の再生装置であって、
前記記憶手段は、映像コンテンツのカテゴリ毎にそれぞれ対応付けられたカテゴリ別再生速度を記憶し、
前記再生手段は、前記通常再生モードにおいてユーザから再生速度の変更が指示されるまでは、前記映像コンテンツに対応するカテゴリ別再生速度で前記映像コンテンツを再生する
ことを特徴とする再生装置。
【請求項５】
請求項１〜請求項４の何れかに記載の再生装置であって、
前記記憶手段は、前記記憶媒体に記憶された映像コンテンツにそれぞれ対応付けられたコンテンツ別再生速度を記憶し、
前記再生手段は、前記通常再生モードにおいてユーザから再生速度の変更が指示されるまでは、前記映像コンテンツに対応するコンテンツ別再生速度で前記映像コンテンツを再生する
ことを特徴とする再生装置。
【請求項６】
記憶媒体に記憶された映像コンテンツを、通常再生モードを含む複数の再生モードのうちユーザから指定された再生モードで再生する映像再生方法であって、
再生手段が、前記通常再生モードにおいてユーザから指示された再生速度で前記映像コンテンツを再生することにより、該映像コンテンツの映像を表示画面に表示させるとともに該映像と同期した音声を出力させる再生ステップと、
前記通常再生モードにおいてユーザから再生速度の変更が指示された場合、記憶手段が変更後の再生速度を記憶する記憶ステップと、
前記通常再生モードにおいてユーザから再生速度の変更が指示された場合、速度情報表示手段が変更後の再生速度を示す情報を前記表示画面に表示する第１の速度情報表示ステップと、
前記通常再生モードでの前記映像コンテンツの再生開始時において、前記記憶手段に記憶された再生速度で前記再生手段が前記映像コンテンツの再生を開始する再生開始ステップと、
前記通常再生モードでの前記映像コンテンツの再生開始時において、前記記憶手段に記憶された再生速度が所定の標準速度の場合には、前記速度情報表示手段が該所定の標準速度を示す情報を前記表示画面に表示せず、前記記憶手段に記憶された再生速度が前記所定の標準速度以外の場合には、前記速度情報表示手段が前記記憶手段に記憶された再生速度を示す情報を前記表示画面に表示する第２の速度情報表示ステップと、を備えた
ことを特徴とする映像再生方法。
【請求項７】
記憶媒体に記憶された映像コンテンツを、通常再生モードを含む複数の再生モードのうちユーザから指定された再生モードで再生する再生装置のコンピュータを、
前記通常再生モードにおいてユーザから指示された再生速度で前記映像コンテンツを再生することにより、該映像コンテンツの映像を表示画面に表示させるとともに該映像と同期した音声を出力させる再生手段、
前記通常再生モードにおいてユーザから再生速度の変更が指示された場合、変更後の再生速度を記憶する記憶手段、及び
前記通常再生モードにおいてユーザから再生速度の変更が指示された場合、変更後の再生速度を示す情報を前記表示画面に表示する速度情報表示手段、
として機能させるための映像再生プログラムであり、
前記再生手段は、前記通常再生モードでの前記映像コンテンツの再生開始時において、前記記憶手段に記憶された再生速度で前記映像コンテンツの再生を開始し、
前記速度情報表示手段は、前記通常再生モードでの前記映像コンテンツの再生開始時において、前記記憶手段に記憶された再生速度が所定の標準速度の場合には、該所定の標準速度を示す情報を前記表示画面に表示せず、前記記憶手段に記憶された再生速度が前記所定の標準速度以外の場合には、前記記憶手段に記憶された再生速度を示す情報を前記表示画面に表示する
ことを特徴とする映像再生プログラム。
【請求項８】
請求項７に記載の映像再生プログラムであって、
前記通常再生モードでの前記映像コンテンツの再生開始時は、前記通常再生モード以外の再生モードから前記通常再生モードへの前記映像コンテンツの再生モードの変更時を含む
ことを特徴とする映像再生プログラム。
【請求項９】
請求項７又は請求項８に記載の映像再生プログラムであって、
前記速度情報表示手段は、再生速度を示す情報を表示する場合、再生速度の変更に必要な操作を案内する情報を、前記表示画面に表示する
ことを特徴とする映像再生プログラム。
【請求項１０】
請求項７〜請求項９の何れかに記載の映像再生プログラムであって、
前記記憶手段は、映像コンテンツのカテゴリ毎にそれぞれ対応付けられたカテゴリ別再生速度を記憶し、
前記再生手段は、前記通常再生モードにおいてユーザから再生速度の変更が指示されるまでは、前記映像コンテンツに対応するカテゴリ別再生速度で前記映像コンテンツを再生する
ことを特徴とする映像再生プログラム。
【請求項１１】
請求項７〜請求項１０の何れかに記載の映像再生プログラムであって、
前記記憶手段は、前記記憶媒体に記憶された映像コンテンツにそれぞれ対応付けられたコンテンツ別再生速度を記憶し、
前記再生手段は、前記通常再生モードにおいてユーザから再生速度の変更が指示されるまでは、前記映像コンテンツに対応するコンテンツ別再生速度で前記映像コンテンツを再生する
ことを特徴とする映像再生プログラム。
【請求項１２】
請求項７〜請求項１１の何れかに記載の映像再生プログラムを記憶したコンピュータ読み取り可能な記憶媒体。
【発明の詳細な説明】
【技術分野】
【０００１】
本発明は、映像コンテンツを再生する再生装置、映像再生方法、映像再生プログラム、及び映像再生プログラムを記憶したコンピュータ読み取り可能な記憶媒体に関する。
【背景技術】
【０００２】
記憶媒体に記憶された映像コンテンツを再生する再生装置では、ユーザが視聴する通常再生モードにおいて、映像コンテンツが録画速度で再生されるのが一般的である。
【０００３】
【特許文献１】米国特許第６５６３９９９号明細書
【発明の開示】
【発明が解決しようとする課題】
【０００４】
しかし、映像コンテンツを視聴する際の再生速度に対するユーザの要求は、個々のユーザによって、またコンテンツの内容の内容によって相違する。
【０００５】
本発明は、上記実情に鑑みてなされたものであって、ユーザからの要求に応じた速度でコンテンツを再生することができるとともに、再生速度に関してユーザにとって利便性の良い表示を行うことを目的とする。
【課題を解決するための手段】
【０００６】
本発明の再生装置は、記憶媒体に記憶された映像コンテンツを、通常再生モードを含む複数の再生モードのうちユーザから指定された再生モードで再生する。
【０００７】
再生装置は、再生手段、記憶手段及び速度情報表示手段を備える。
【０００８】
再生手段は、通常再生モードにおいてユーザから指示された再生速度で映像コンテンツを再生することにより、映像コンテンツの映像を表示画面に表示させるとともに映像と同期した音声を出力させる。記憶手段は、通常再生モードにおいてユーザから再生速度の変更が指示された場合、変更後の再生速度を記憶する。速度情報表示手段は、通常再生モードにおいてユーザから再生速度の変更が指示された場合、変更後の再生速度を示す情報を表示画面に表示する。速度情報表示手段は、通常再生モードでの映像コンテンツの再生開始時において、再生速度記憶手段に記憶された再生速度が所定の標準速度の場合には、標準速度を示す情報を表示画面に表示せず、再生速度記憶手段に記憶された再生速度が標準速度以外の場合には、再生速度記憶手段に記憶された再生速度を示す情報を表示画面に表示する。
【発明の効果】
【０００９】
本発明によれば、ユーザからの要求に応じた速度でコンテンツを再生することができるとともに、再生速度に関してユーザにとって利便性の良い表示を行うことができる。
【発明を実施するための最良の形態】
【００１０】
以下、図面を参照して本発明の実施形態について説明する。各実施形態は、本発明の例示であり、本発明を限定するものではなく、本発明の範囲内で任意に変更可能である。
【００１１】
[実施形態１]
本実施形態の再生装置では、記憶媒体に記憶された映像コンテンツを再生する際に設定可能なモード（再生モード）として、通常再生モードと早送りモードと早戻しモードと一時停止モードとが設けられている。通常再生モードは、ユーザが内容を理解しながら視聴できるように、映像コンテンツをユーザにとって適正な速度で再生するモードである。早送りモード及び早戻しモードは、ユーザが所望のシーンを短時間に探すことができるように、映像コンテンツを早送り再生及び早戻し再生するモードである。一時停止モードは、映像を停止させて静止画像として表示させるモードである。
【００１２】
通常再生モードでは、再生速度が段階的に設定可能である。具体的には、録画速度（標準速度）で再生する１倍速再生（標準速度再生）と、標準速度の１．５倍の速度で再生する１．５倍速再生（やや高速での早見再生）と、標準速度の２．０倍の速度で再生する２倍速再生（高速での早見再生）と、標準速度の０．５倍の速度で再生する０．５倍速再生（スロー再生）とに設定可能である。通常再生モードでは、再生速度に合わせて調整された音声が映像と共に出力され、早送りモード及び早戻しモードでは、映像のみが出力され音声は出力されない。また、早送りモード及び早戻しモードでは、早送り速度及び早戻し速度がそれぞれ段階的（それぞれ低速・中速・高速の３段階）に設定可能である。なお、低速での早送り再生は、１倍速（標準速度）での通常再生よりも速い。
【００１３】
（１）構成
＜端末装置の構成＞
本実施形態の再生装置は、携帯型の端末装置１である。図１に示すように、端末装置１は、その本体前面に、複数の操作入力部２と、表示部（表示画面）３と、スピーカ１１と、マイクロフォン１２とを備えている。操作入力部２は、図１中破線で囲まれた部分に配置されている。
【００１４】
操作入力部２は、上下左右の各方向キー２０Ｕ，２０Ｄ，２０Ｌ，２０Ｒ、Ｌボタン２１Ｌ、Ｒボタン２１Ｒ、〇ボタン２２Ａ、△ボタン２２Ｂ、□ボタン２２Ｃ、×ボタン２２Ｄ、ホームボタン２３Ａ、音量ボタン２３Ｂ，２３Ｃ、ディスプレイボタン２３Ｄ、サウンドボタン２３Ｅ、セレクトボタン２３Ｆ、スタートボタン２３Ｇ、及びアナログ操作が可能なアナログパッド２４などの操作子を有している。
【００１５】
また、端末装置１は、本体上部に、光ディスクの装着を操作するためのディスク操作スイッチ４と、無線通信を行うための赤外線ポート５と、ＵＳＢ端子６とを備えている。また、端末装置１は、図２に示すように、本体背面の中央部に、光ディスクが装着されるディスク装着部７を備え、本体背面の一端側にメモリカードスロット部８を備えている。ディスク装着部７には、ビデオゲーム等のアプリケーションプログラムなどが記録された光ディスクが装着され、メモリカードスロット部８にはメモリカードが装着される。端末装置１は、その他、図示しないが、無線ＬＡＮスイッチ、充電用端子、電源スイッチ等を備えている。
【００１６】
端末装置１は、操作入力部２に対するユーザからの所定の操作入力に応じて、光ディスクやメモリカードに記憶された映像コンテンツを再生し、表示部３に表示する。なお、端末装置１内にハードディスク装置（ＨＤＤ）を設け、ハードディスクに記憶された映像コンテンツを再生してもよい。また、端末装置１は、ＴＶ放送を受信する受信機能や、受信した番組やカメラの撮像動画などを光ディスクやメモリカードやハードディスクなどの記憶媒体に録画する録画機能や、録画途中の番組を受信時よりも遅れて再生させる所謂追っかけ再生機能を有していてもよい。
【００１７】
操作入力部２のうち各方向キー２０Ｕ，２０Ｄ，２０Ｌ，２０Ｒには、表示部３に表示されたメニュー画面において再生対象の映像コンテンツを特定する際に、その選択位置を移動させる機能が割り当てられている。
【００１８】
○ボタン２２Ａには、メニュー画面において特定された映像コンテンツを通常再生モードで再生させる機能（再生開始指示を受ける機能）と、通常再生モードから一時停止モードに移行させる機能（一時停止指示を受ける機能）と、一時停止モード、早戻しモード及び早送りモードから通常再生モードに移行させる機能（通常再生モードへの変更指示を受ける機能）とが割り当てられている。
【００１９】
左方向キー２０Ｌには、早戻しモードに移行させる機能（早戻しモードへの変更指示を受ける機能）と、早戻しモードにおいて早戻し速度を段階的に速くする機能（早戻し速度アップ指示を受ける機能）とが割り当てられている。例えば、通常再生モードでの再生中に左方向キー２０Ｌが押下されると、早戻しモードに移行して低速の早戻し再生となり、左方向キー２０Ｌが再度押下されると、中速の早戻し再生となり、さらに左方向キー２０Ｌが押下されると、高速の早戻し再生となる。
【００２０】
右方向キー２０Ｒには、早送りモードに移行させる機能（早送りモードへの変更指示を受ける機能）と、早送りモードにおいて早送り速度を段階的に速くする機能（早戻し速度ダウン指示を受ける機能）とが割り当てられている。例えば、通常再生モードでの再生中に右方向キー２０Ｒが押下されると、早送りモードに移行して低速の早送り再生となり、右方向キー２０Ｒが再度押下されると、中速の早送り再生となり、さらに右方向キー２０Ｒが押下されると、高速の早送り再生となる。
【００２１】
上方向キー２０Ｕには、通常再生モードにおいて再生速度を段階的に速くする機能（再生速度アップ指示を受ける機能）が割り当てられ、下方向キー２０Ｄには、通常再生モードにおいて再生速度を段階的に遅くする機能（再生速度ダウン指示を受ける機能）が割り当てられている。例えば、１倍速再生時に上方向キー２０Ｕが押下されると、１．５倍速再生となり、上方向キー２０Ｕが再度押下されると、２倍速再生となる。同様に、２倍速再生時に下方向キー２０Ｄが押下されると、１．５倍速再生となり、下方向キー２０Ｄが再度押下されると、１倍速再生となる。また、１倍速再生時に下方向キー２０Ｄが押下されると、０．５倍速再生となり、０．５倍速再生時に上方向キー２０Ｕが押下されると、１倍速再生となる。
【００２２】
×ボタン２２Ｄには、映像コンテンツの再生を終了して表示部３にメニュー画面を表示させる機能（再生終了指示を受ける機能）が割り当てられている。
【００２３】
次に、図３を参照して、端末装置１の電気的構成について説明する。図３は、端末装置１の主要部の概略的な電気的構成の一例を示すブロック図である。
【００２４】
端末装置１は、中央演算処理装置（ＣＰＵ：Central Processing Unit）４１及びその周辺装置等からなる制御系４０と、フレームバッファ５３に描画を行う画像処理装置（ＧＰＵ：Graphic Processing Unit）５２等からなるグラフィックシステム５０と、楽音、効果音等を発生する音声処理装置（ＳＰＵ：Sound Processing Unit）６１等からなるサウンドシステム６０と、アプリケーションプログラムが記録されている光ディスクの制御を行う光ディスク制御部７０と、無線通信部８０と、インターフェース部９０と、操作入力部２と、上記の各部が接続されているバス等を備えて構成されている。
【００２５】
サウンドシステム６０は、制御系４０の制御の下、楽音、効果音等を発生するＳＰＵ６１と、このＳＰＵ６１により、波形データ等が記録されるサウンドバッファ６２と、ＳＰＵ６１によって発生される楽音、効果音等を出力するスピーカ１１と、マイクロフォン１２とを備えている。
【００２６】
ＳＰＵ６１は、例えば１６ビットの音声データを４ビットの差分信号として適応予測符号化（ＡＤＰＣＭ：Adaptive Differential PCM）された音声データを再生するＡＤＰＣＭ復号機能と、サウンドバッファ６２に記憶されている波形データを再生することにより、効果音等を発生する再生機能と、サウンドバッファ６２に記憶されている波形データを変調させて再生する変調機能等を備えている。また、ＳＰＵ６１は、マイクロフォン１２から供給された音声データをＣＰＵ４１に供給する機能を備えている。マイクロフォン１２は、外部からの音声が入力されると、所定のサンプリング周波数と量子化ビット数によるＡ／Ｄ変換等を施して、ＳＰＵ６１に音声データを供給する。
【００２７】
光ディスク制御部７０は、光ディスクに記録されたプログラムやデータ等を再生する光ディスク装置７１と、例えばエラー訂正符号(ＥＣＣ：Error Correcting Code)が付加されて記録されているプログラム、データ等を復号するデコーダ７２と、光ディスク装置７１からのデータを一時的に記憶することにより、光ディスクからのデータの読み出しを高速化するバッファ７３とを備えている。上記のデコーダ７２には、サブＣＰＵ７４が接続されている。
【００２８】
インターフェース部９０は、パラレルＩ／Ｏインターフェース（ＰＩＯ）９１と、シリアルＩ／Ｏインターフェース（ＳＩＯ）９２とを備えている。これらは、メモリカードＭと端末装置１とを接続するためのインターフェースである。
【００２９】
操作入力部２は、各種操作ボタンやアナログパット２４の操作に応じた操作信号をＣＰＵ４１に供給する。
【００３０】
無線通信部８０は、制御系４０の制御の下、赤外線ポート５を介して他の端末装置１と無線通信を行う。なお、無線通信部８０は、ＩＥＥＥ８０２．１１ｂなどの通信規格に従って、データの送受信を行う。具体的には、データを他の端末装置１に送信する場合には、当該データの受信が完了した旨を示す確認応答データを他の端末装置１から受信し、当該確認応答データを受信できない場合には、データの再送を行う。また、他の端末装置１から送信されたデータを受信する場合には、データの受信後、当該データの受信が完了した旨を示す確認応答データを他の端末装置１に送信する。
【００３１】
グラフィックシステム５０は、ジオメトリトランスファエンジン（ＧＴＥ：Geometry Transfer Engine）５１と、ＧＰＵ５２と、フレームバッファ５３と、画像デコーダ５４と、表示部３とを備えている。
【００３２】
ＧＴＥ５１は、例えば複数の演算を並列に実行する並列演算機構を備え、上記ＣＰＵ４１からの演算要求に応じて座標変換、光源計算、行列あるいはベクトルなどの演算を高速に行う。そして、制御系４０は、ＧＴＥ５１による演算結果に基づいて３角形や４角形などの基本的な単位図形（ポリゴン）の組合せとして３次元モデルを定義して３次元像を描画するための各ポリゴンに対応する描画命令をＧＰＵ５２に送る。
【００３３】
ＧＰＵ５２は、制御系４０からの描画命令に従って、フレームバッファ５３に対して多角形（ポリゴン）等の描画を行う。
【００３４】
フレームバッファ５３は、ＧＰＵ５２により描画された画像を記憶する。このフレームバッファ５３は、所謂デュアルポートＲＡＭからなり、ＧＰＵ５２からの描画あるいはメインメモリ４３からの転送と、表示のための読み出しとを同時に行うことができる。また、このフレームバッファ５３には、ビデオ出力として出力される表示領域の他に、ＧＰＵ５２がポリゴン等の描画を行う際に参照するカラールックアップテーブル（ＣＬＵＴ：Color Lock Up Table）が記憶されるＣＬＵＴ領域と、描画時に座標変換されてＧＰＵ５２によって描画されるポリゴン等の中に挿入（マッピング）される素材（テクスチャ）が記憶されるテクスチャ領域が設けられている。これらのＣＬＵＴ領域とテクスチャ領域は、表示領域の変更等に従って動的に変更される。
【００３５】
表示部３は、制御系４０からの制御により、フレームバッファ５３に記憶された画像を表示する。
【００３６】
画像デコーダ５４は、制御系４０からの制御により、メインメモリ４３に記憶され離散コサイン変換等の直交変換により圧縮されて符号化された静止画あるいは動画の画像データを復号してメインメモリ４３に記憶させる。
【００３７】
制御系４０は、ＣＰＵ４１と、割り込み制御やダイレクトメモリアクセス（ＤＭＡ：Direct Memory Access）転送の制御等を行う周辺装置制御部４２と、ＲＡＭ（Random Access Memory）からなるメインメモリ４３と、ＲＯＭ（Read Only Memory）４４とを備えている。
【００３８】
ＲＯＭ４４には、端末装置１の各部を制御するためのオペレーティングシステム等のプログラムが記憶されている。ＣＰＵ４１は、ＲＯＭ４４に記憶されているオペレーティングシステムをメインメモリ４３に読み出し、読み出したオペレーティングシステムを実行することにより、この端末装置１の全体を制御する。
【００３９】
更に、ＲＯＭ４４には、端末装置１の各部や端末装置１に接続される各種周辺機器を制御するための制御プログラムや、光ディスクやメモリカードＭなどの記憶媒体に記憶された映像コンテンツを再生するための映像再生プログラムや、ゲームを行う機能をＣＰＵ４１に実現させるためのゲームプログラムなどの各種プログラムが格納されている。
【００４０】
メインメモリ４３には、ＣＰＵ４１がＲＯＭ４４や光ディスクから読み出したプログラムや、各種プログラムの実行の際に用いられるデータ等の各種データが記憶される。また、メインメモリ４３には、図５に示すように、モード情報が記憶されるモード情報記憶領域４５と、倍速情報が記憶される倍速情報記憶領域４６と、倍速情報表示フラグのオン・オフが設定される倍速情報表示フラグ設定領域４７と、早戻し・早送り速度情報記憶領域４８が設けられている。
【００４１】
モード情報は、映像コンテンツを再生する際のモードを示す情報であり、通常再生モードを示す通常再生モード情報と、早送りモードを示す早送りモード情報と、早戻しモードを示す早戻しモード情報と、一時停止モードを示す一時停止モード情報とを含む。
【００４２】
倍速情報は、通常再生モードにおける再生速度を示す情報であり、１倍速（標準速度）を示す情報と、１．５倍速（標準速度の１．５倍の速度）を示す情報と、２倍速（標準速度の２．０倍の速度）を示す情報と、０．５倍速（標準速度の０．５倍の速度）を示す情報とを含む。なお、初期設定では、１倍速を示す倍速情報が記憶されている。
【００４３】
倍速情報表示フラグは、倍速情報を表示部３に表示するか否かを判定するためのフラグである。倍速情報は、倍速情報表示フラグがオンのとき表示され、オフのとき表示されない。なお、初期設定では、倍速情報表示フラグがオフに設定されている。
【００４４】
早戻し・早送り速度情報は、早送りモード及び早戻しモードにおける早送り速度及び早戻し速度を示す情報であり、低速を示す情報と、中速を示す情報と、高速を示す情報とを含む。
【００４５】
＜機能的構成＞
次に、ＣＰＵ４１等が映像再生プログラムを実行することによって実現される映像再生処理に関する構成について説明する。図４は、端末装置１における映像再生処理に関する機能的構成を説明するための機能ブロック図である。
【００４６】
操作入力部２に対するユーザの操作（入力指示）は、ＧＵＩ（Graphical User Interface）２５を介して入力される。ユーザがメニュー画面において映像コンテンツを特定して○ボタン２２Ａを押下する（再生開始指示を操作入力する）と、ＣＰＵ４１は、映像再生プログラムに従って映像再生処理を実行する。端末装置１では、映像再生処理の実行によって、操作入力部２への入力指示に応じてモード等を設定するモード等設定機能と、設定されたモード等に応じて映像コンテンツを再生する再生機能と、設定されたモード等に応じてモード情報等を表示するモード情報等表示機能とが各々実現される。
【００４７】
また、ユーザが×ボタン２２Ｄを押下する（再生終了指示を操作入力する）と、ＣＰＵ４１は、実行中の映像再生処理を終了する。
【００４８】
＜モード等設定機能＞
ユーザからの入力指示が映像コンテンツの再生に関する所定の指示の場合、ＣＰＵ４１は、後述するように、メインメモリ４３内の情報（モード情報記憶領域４５のモード情報、倍速情報記憶領域４６の倍速情報、倍速情報表示フラグ設定領域４７の倍速情報表示フラグのオン・オフ、早戻し・早送り速度情報記憶領域４８の早戻し・早送り速度情報）を適宜更新する。
【００４９】
ＣＰＵ４１は、映像再生処理の開始に伴って、モード情報を通常再生モード情報に設定する。
【００５０】
通常再生モード情報が記憶された状態で、○ボタン２２Ａが押下される（一時停止指示が操作入力される）と、モード情報を一時停止モード情報に更新する。
【００５１】
一時停止モード情報、早戻しモード情報又は早送りモード情報が記憶された状態で○ボタン２２Ａが押下される（通常再生モードへの変更指示が操作入力される）と、モード情報を通常再生モード情報に更新する。
【００５２】
通常再生モード情報、一時停止モード情報又は早送りモード情報が記憶された状態で、左方向キー２０Ｌが押下される（早戻しモードへの変更指示が操作入力される）と、モード情報を早戻しモード情報に更新し、早戻し・早送り速度情報を低速に更新する。
【００５３】
早戻しモード情報が記憶された状態で、左方向キー２０Ｌが押下される（早戻し速度アップ指示が操作入力される）と、早戻し・早送り速度情報を一段階速くする方向に更新する。例えば、低速であれば中速に更新し、中速であれば高速に更新する。
【００５４】
通常再生モード情報、一時停止モード情報又は早戻しモード情報が記憶された状態で、右方向キー２０Ｒが押下される（早送りモードへの変更指示が操作入力される）と、モード情報を早送りモード情報に更新し、早戻し・早送り速度情報を低速に更新する。
【００５５】
早送りモード情報が記憶された状態で、右方向キー２０Ｒが押下される（早送り速度アップ指示が操作入力される）と、早戻し・早送り速度情報を一段階速くする方向に更新する。例えば、低速であれば中速に更新し、中速であれば高速に更新する。
【００５６】
通常再生モード情報が記憶された状態で、上方向キー２０Ｕが押下される（再生速度アップ指示が操作入力される）と、倍速情報を一段階速くする方向に更新する。例えば、倍速情報が０．５倍速であれば１倍速に更新し、１倍速であれば１．５倍速に更新し、１．５倍速であれば２倍速に更新する。なお、上方向キー２０Ｕの押下時間が所定時間以上継続した場合に、倍速情報を速くする方向に順次連続的に更新してもよい。また、この場合、０．５倍速から１倍速に更新したときは、倍速情報の更新を１倍速で終了し、上方向キー２０Ｕが押し直されたときに、倍速情報の更新を再開してもよい。
【００５７】
通常再生モード情報が記憶された状態で、下方向キー２０Ｄが押下される（再生速度ダウン指示が操作入力される）と、倍速情報を一段階遅くする方向に更新する。例えば、倍速情報が２倍速であれば１．５倍速に更新し、１．５倍速であれば１倍速に更新し、１倍速であれば０．５倍速に更新する。なお、下方向キー２０Ｄの押下時間が所定時間以上継続した場合に、倍速情報を遅くする方向に順次連続的に更新してもよい。また、この場合、１．５倍速から１倍速に更新したときは、倍速情報の更新を１倍速で終了し、下方向キー２０Ｄが押し直されたときに、倍速情報の更新を再開してもよい。
【００５８】
次に、ＣＰＵ４１が実行する倍速情報表示フラグ設定領域４７の倍速情報表示フラグのオン・オフについて、図６に基づいて説明する。図６は、倍速情報表示フラグ設定処理を示すフローチャートである。この倍速情報表示フラグ設定処理は、ユーザから映像コンテンツの再生に関する入力指示が行われた場合に実行される。
【００５９】
まず、ユーザからの入力指示が通常再生モードから他のモードへの変更指示か否かを判定する（ステップＳ１１）。モード情報記憶領域４５に通常再生モード情報が記憶された状態で、○ボタン２２Ａが押下された場合（一時停止指示が操作入力された場合）、左方向キー２０Ｌが押下された場合（早戻しモードへの変更指示が操作入力された場合）、又は右方向キー２０Ｒが押下された場合（早戻しモードへの変更指示が操作入力された場合）、ユーザからの入力指示が通常再生モードから他のモードへの変更指示であると判定する。
【００６０】
ユーザからの入力指示が通常再生モードから他のモードへの変更指示である場合（ステップＳ１１：Ｙｅｓ）、ステップＳ１２へ移行し、倍速情報表示フラグをオフに設定して、本処理を終了する。すなわち、一時停止モード、早戻しモード及び早送りモードでは、倍速情報は表示されない。
【００６１】
ユーザからの入力指示が通常再生モードから他のモードへの変更指示ではない場合（ステップＳ１１：Ｎｏ）、ステップＳ１３へ移行し、ユーザからの入力指示が他のモードから通常再生モードへの変更指示か否かを判定する。モード情報記憶領域４５に一時停止モード情報、早戻しモード情報又は早送りモード情報が記憶された状態で、○ボタン２２Ａが押下された場合（通常再生モードへの変更指示が操作入力された場合）、ユーザからの入力指示が他のモードから通常再生モードへの変更指示であると判定する。
【００６２】
ユーザからの入力指示が他のモードから通常再生モードへの変更指示である場合（ステップＳ１３：Ｙｅｓ）、ステップＳ１４へ移行し、倍速情報記憶領域４６に記憶されている倍速情報が１倍速であるか否かを判定する。
【００６３】
倍速情報記憶領域４６に記憶されている倍速情報が１倍速である場合（ステップＳ１４：Ｙｅｓ）、ステップＳ１２に移行し、倍速情報表示フラグをオフに設定し、本処理を終了する。すなわち、通常再生モード以外の他のモードから通常再生モードへ移行した際に、記憶されている倍速情報が１倍速の場合には、倍速情報は表示されない。
【００６４】
一方、倍速情報記憶領域４６に記憶されている倍速情報が１倍速以外の場合（ステップＳ１４：Ｎｏ）、ステップＳ１５へ移行し、倍速情報表示フラグをオンに設定し、本処理を終了する。すなわち、通常再生モード以外の他のモードから通常再生モードへ移行した際に、記憶されている倍速情報が１倍速以外の場合には、倍速情報が表示される。
【００６５】
また、ユーザからの入力指示が、通常再生モードから他のモードへの変更指示、及び他のモードから通常再生モードへの変更指示の何れでもない場合（ステップＳ１１：Ｎｏ、ステップＳ１３：Ｎｏ）、ステップＳ１６へ移行し、通常再生モードにおける倍速変更指示か否かを判定する。モード情報記憶領域４５に通常再生モード情報が記憶された状態で、上方向キー２０Ｕ又は下方向キー２０Ｄが押下された場合（再生速度アップ指示又は生成速度ダウン指示が操作入力された場合）、通常再生モードにおける倍速変更指示であると判定する。
【００６６】
ユーザからの入力指示が通常再生モードにおける倍速変更指示の場合（ステップＳ１６：Ｙｅｓ）、ステップＳ１５へ移行し、倍速情報表示フラグをオンに設定し、本処理を終了する。すなわち、通常再生モードにおいて倍速変更が行われた場合、倍速情報が表示される。
【００６７】
一方、ユーザからの入力指示が通常再生モードにおける倍速変更指示以外の場合（ステップＳ１６：Ｎｏ）、倍速情報表示フラグの設定をそのまま保持して、本処理を終了する。
【００６８】
なお、ユーザからの入力指示が再生終了指示の場合（×ボタン２２Ｄが押下された場合）、映像再生処理を終了する際に、倍速情報記憶領域４６に記憶されている倍速情報が１倍速であれば倍速情報表示フラグをオフに設定し、１倍速以外であればオンに設定する。すなわち、映像コンテンツの再生終了後、再生が再び開始される場合、その映像コンテンツが前回と同じ映像コンテンツであるか否に拘わらず、通常再生モードの再生速度は、前回の再生時に更新された再生速度で再生され、その再生速度が１倍速であれば倍速情報が表示されず、１倍速以外であれば倍速情報が表示される。
【００６９】
＜再生機能＞
映像コンテンツは、所定の圧縮符号化方式（例えばＭＰＥＧ（Moving Picture Experts Group）方式）に従って符号化されビデオデータ及びオーディオデータを各種ヘッダ情報と共にパケット化及び多重化したＰＳ（Program Stream）として、光ディスク装置７１の光ディスクやメモリカードＭに記憶されている。なお、符号化されたビデオデータをビデオＥＳ（Video Elementary Stream）と称し、符号化されたオーディオデータをオーディオＥＳ（Audio Elementary Stream）と称する。
光ディスクやメモリカードＭのＰＳは、デミュクサ（Demuxre）３１に供給される。デミュクサ３１は、供給されたＰＳから、ビデオＥＳやオーディオＥＳ、各種ヘッダ情報を分離し、各ＥＳのデータをバッファ７３に格納し、ヘッダ情報をＣＰＵ４１に出力する。
【００７０】
デミュクサ３１は、メインメモリ４３に記憶されたモード情報が通常再生モード情報の場合には、読み取ったＰＳを全てバッファ７３に格納し、モード情報が早戻しモード情報又は早送りモード情報の場合には、メインメモリ４３に記憶された早戻し・早送り速度情報に応じて、ビデオＥＳのデータを間欠的に削除してバッファ７３に格納する。データの削除量は、早戻し速度及び早送り速度が速いほど増大するように設定されている。これにより、映像コンテンツの動画は、設定された早戻し速度又は早送り速度に応じて早送り又は早送りされた状態で表示部３に表示される。また、モード情報が早戻しモード情報又は早送りモード情報の場合には、バッファ７３にビデオＥＳのみを格納し、オーディオＥＳを格納しない。これにより、早戻しモード及び早送りモードのときには、スピーカ１１から音声が出力されない。
【００７１】
なお、メインメモリ４３に記憶されたモード情報が一時停止モード情報の場合、光ディスクやメモリカードＭからデミュクサ３１へのＰＳの供給が一時停止される。
【００７２】
バッファ７３に格納されたビデオＥＳ及びオーディオＥＳは、それぞれビデオデコーダ３２及びオーディオデコーダ３３に供給され、デコードされる。デコードされたビデオデータ（非符号化ビデオデータ）は、ビデオレンダラ（Video Renderer）３４に供給され、デコードされたオーディオデータ（非符号化オーディオデータ）は、オーディオレンダラ（Audio Renderer）３５に供給される。
【００７３】
オーディオレンダラ３５は、供給された非符号化オーディオデータをアナログ音声信号に変換してサウンドシステム６０（スピーカ１１）に出力する。また、オーディオレンダラ３５は、変換したアナログ音声信号の信号波形を、メインメモリ４３に記憶された倍速情報（通常再生モードにおける再生速度）に応じて加工する。再生速度が１倍速の場合には、信号波形を加工せずにそのままサウンドシステム６０に出力し、再生速度が１．５倍速及び２倍速の場合には、信号波形の一部を間欠的に削除して短縮化し、再生速度が０．５倍速の場合には、信号波形を伸長化する。信号波形の削除割合は、再生速度が１．５倍速の場合は約３３％であり、２倍速の場合は約５０％である。また、再生速度が０．５倍速の場合は、信号波形を部分的に複製することにより約２倍に伸長される。また、オーディオレンダラ３５は、加工した信号波形に対応したＰＴＳ（Presentation Time Stamp）を、オーディオビデオシンセサイザ３６に供給する。
【００７４】
ビデオレンダラ３４は、供給された非符号化ビデオデータと、これに対応したＰＴＳとを、オーディオビデオシンセサイザ３６に供給する。
【００７５】
オーディオビデオシンセサイザ３６は、オーディオレンダラ３５から供給されたＰＴＳとビデオレンダラ３４から供給されたＰＴＳとに基づき、オーディオレンダラ３５からスピーカ１１へのアナログ音声信号の出力に同期させて、ビデオＥＳをグラフィックシステム５０（表示部３）に供給する。すなわち、オーディオレンダラ３５によるアナログ音声信号の信号波形の短縮・伸長に同期して、オーディオビデオシンセサイザ３６からのビデオＥＳの出力間隔も短縮・伸長される。
【００７６】
これにより、また、ユーザが通常再生モードに設定した場合（メインメモリ４３に通常再生モード情報が記憶されている場合）には、メインメモリ４３に記憶されている倍速情報に応じた再生速度で、音声及び映像が再生される。ユーザが早戻しモード又は早送りモードに設定した場合（メインメモリ４３に早戻しモード情報又は早送りモード情報が記憶されている場合）には、メインメモリ４３に記憶されている早戻し・早送り速度情報に応じた早戻し速度又は早送り速度で、映像のみが早戻し再生又は早送り再生される。
【００７７】
＜モード情報等表示機能＞
次に、ＣＰＵ４１の制御に基づいてグラフィックシステム５０が実行するモード情報等表示処理について、図７〜図１５に基づいて説明する。図７はモード情報等表示処理を示すフローチャート、図８は通常再生モード表示の模式図、図９は通常再生モード表示と倍速表示（１倍速）とを共に示す表示態様の模式図、図１０は通常再生モード表示と倍速表示（１．５倍速）とを共に示す表示態様の模式図、図１１は通常再生モード表示と倍速表示（２倍速）とを共に示す表示態様の模式図、図１２は通常再生モード表示と倍速表示（０．５倍速）とを共に示す表示態様の模式図、図１３は早戻しモード表示の模式図、図１４は早送りモード表示の模式図、図１５は一時停止モード表示の模式図である。図７に示すモード情報等表示処理は、映像コンテンツの再生中に所定時間毎に繰り返して実行される。
【００７８】
本処理が開始すると、各モード情報に対応して予め設定されたモード表示１０１〜１０６を、メインメモリ４３のモード情報記憶領域４５に記憶されたモード情報に応じて、映像コンテンツの再生映像と共に表示部３に表示する（ステップＳ２１）。表示部３内におけるモード表示１０１〜１０６の表示位置は、再生映像の視認をできるだけ妨げない領域が好ましく、本実施形態では、表示部３の左隅部に表示される。
【００７９】
通常再生モード表示１０１は、右を向く１つの三角矢印である（図８〜図１２）。早戻しモード表示１０２は、左を向く２つの三角矢印である（図１３）。早送りモード表示１０３は、右を向く２つの三角矢印である（図１４）。早戻しモード表示１０２の上及び右には、そのときの早戻し速度を示す表示１０４（低速の場合には「早戻し１」及び丸数字１、中速の場合には「早戻し２」及び丸数字２、高速の場合には「早戻し３」及び丸数字３）が表示される。同様に、早送りモード表示１０３の上及び右には、そのときの早送り速度を示す表示（低速の場合には「早送り１」及び丸数字１、中速の場合には「早送り２」及び丸数字２、高速の場合には「早送り３」及び丸数字３）が表示される。また、一時停止モード表示１０６は、２本の縦線である（図１５）。
【００８０】
次に、メインメモリ４３の倍速情報表示フラグ設定領域４７を参照し、倍速情報表示フラグがオンか否かを判定する（ステップＳ２２）。
【００８１】
倍速情報表示フラグがオンの場合（ステップＳ２２：Ｙｅｓ）には、各倍速情報に対応して予め設定された倍速表示１１１〜１１４を、通常再生モード表示１０１に隣接して表示するとともに、変更操作案内情報を報知する（操作方法を案内する）ための変更操作案内表示１１５，１１６を、倍速表示１１１〜１１４の上方及び／又は下方に隣接して表示し（ステップＳ２３）、本処理を終了する。
【００８２】
例えば、１倍速の場合には「×１．０」という倍速表示１１１を、１．５倍速の場合には「×１．５」という倍速表示１１２を、２倍速の場合には「×２．０」という倍速表示１１３を、０．５倍速の場合には「×０．５」という倍速表示１１４を、それぞれ通常再生モード表示１０１の右隣に表示する。
【００８３】
また、変更操作案内表示１１５，１１６とは、再生速度を変更する際に必要な操作入力の方法を案内するためのものである。例えば、図９に示すように、１倍速の場合には「×１．０」という倍速表示１１１の上方に上を向く三角矢印が変更操作案内表示１１５として表示され、倍速表示１１１の下方に下を向く三角矢印が変更操作案内表示１１６として表示される。変更操作案内表示１１５は、上方向キー２０Ｕを押下することによって再生速度を速くすることが可能であることを意味し、変更操作案内表示１１６は、下方向キー２０Ｄを押下することによって再生速度を遅くすることが可能であることを意味する。なお、２倍速の場合には、再生速度をこれ以上速くすることができないため、変更操作案内表示１１６のみを表示し、反対に、０．５倍速の場合には、再生速度をこれ以上遅くすることができないため、変更操作案内表示１１５のみを表示する。
【００８４】
一方、倍速情報表示フラグがオフの場合（ステップＳ２２：Ｎｏ）には、倍速表示１１１〜１１４及び変更操作案内表示１１５，１１６を表示せずに、本処理を終了する。
【００８５】
上述のように、ユーザからの入力指示が通常再生モードから他のモードへの変更指示である場合、倍速情報表示フラグがオフに設定されるため、ステップＳ２２における判定がＮｏとなる。すなわち、一時停止モード、早戻しモード及び早送りモードでは、倍速表示１１１〜１１４及び変更操作案内表示１１５，１１６は表示されない。
【００８６】
また、ユーザからの入力指示が他のモードから通常再生モードへの変更指示であり、且つ倍速情報記憶領域４６に記憶されている倍速情報が１倍速である場合、倍速情報表示フラグがオフに設定されるので、ステップＳ２２における判定がＮｏとなる。すなわち、通常再生モード以外の他のモードから通常再生モードへ移行した際に、記憶されている倍速情報が１倍速の場合には、倍速表示１１１〜１１４及び変更操作案内表示１１５，１１６は表示されない。
【００８７】
一方、ユーザからの入力指示が他のモードから通常再生モードへの変更指示であり、且つ倍速情報記憶領域４６に記憶されている倍速情報が１倍速以外である場合、倍速情報表示フラグがオンに設定されているため、ステップＳ２２における判定がＹｅｓとなる。すなわち、通常再生モード以外の他のモードから通常再生モードへ移行した際に、記憶されている倍速情報が１倍速以外の場合には、倍速表示１１１〜１１４及び変更操作案内表示１１５，１１６が表示される。
【００８８】
また、ユーザからの入力指示が通常再生モードにおける倍速変更指示の場合、倍速情報表示フラグがオンに設定されるため、ステップＳ２２における判定がＹｅｓとなる。すなわち、通常再生モードにおいて倍速変更が行われた場合、倍速表示１１１〜１１４及び変更操作案内表示１１５，１１６が表示される。
【００８９】
さらに、ユーザからの入力指示が再生終了指示の場合、映像再生処理を終了する際に、倍速情報記憶領域４６に記憶されている倍速情報が１倍速であれば倍速情報表示フラグがオフに設定され、１倍速以外であればオンに設定される。すなわち、映像コンテンツの再生終了後、再生が再び開始される場合、その映像コンテンツが前回と同じ映像コンテンツであるか否に拘わらず、通常再生モードの再生速度は、前回の再生時に更新された再生速度で再生され、その再生速度が１倍速であれば倍速表示１１１〜１１４及び変更操作案内表示１１５，１１６が表示されず、１倍速以外であれば倍速表示１１１〜１１４及び変更操作案内表示１１５，１１６が表示される。
【００９０】
なお、モード表示や倍速表示や変更操作案内表示に対し、その表示時間の上限値を設定しておき、同一の表示が所定時間を超えて継続表示されないように構成してもよい。
【００９１】
（２）動作
次に、本願実施形態に係る動作について図１６を参照しながら説明する。図１６は、本実施形態に係る表示画面の状態の遷移を示すフローチャートである。
【００９２】
ユーザが、表示部３にメニュー画面を表示させ、各方向キー２０Ｕ，２０Ｄ，２０Ｌ，２０Ｒを適宜操作して、メニュー画面において一つの映像コンテンツを再生対象として特定し、○ボタン２２Ａを押下すると、特定された映像コンテンツが通常再生モードで再生される。この再生開始時の通常再生モードでは、倍速情報として記憶されている再生速度に従って、映像コンテンツが再生される。図１６では、記憶されている倍速情報が１倍速の場合の再生画面ＳＧ１と、１．５倍速の場合の再生画面ＳＧ２と、２倍速の場合の再生画面ＳＧ３と、０．５倍速の場合の再生画面ＳＧ４とを、上下に配置して示している。また、記憶されている再生速度が１倍速（標準速度）の場合の再生画面ＳＧ１には、通常再生モード表示１０１のみ（図８に拡大図を示す）が表示される。一方、１倍速以外の場合には、通常再生モード表示、倍速表示及び変更操作案内表示が表示される。例えば、１．５倍速の場合の再生画面ＳＧ２には、通常再生モード表示１０１、倍速表示１１２及び変更操作案内表示１１５，１１６（図１０に拡大図を示す）が表示され、２倍速の場合の再生画面ＳＧ３には、通常再生モード表示１０１、倍速表示１１３及び変更操作案内表示１１６（図１１に拡大図を示す）が表示され、０．５倍速の場合の再生画面ＳＧ４には、通常再生モード表示１０１、倍速表示１１４及び変更操作案内表示１１５（図１２に拡大図を示す）が表示される。
【００９３】
通常再生モードにおいて、ユーザが上方向キー２０Ｕ又は下方向キー２０Ｄを押下する（再生速度アップ指示又はダウン指示を入力する）と、その指示に応じて再生速度が段階的に速く又は遅くなる。また、再生速度の変更に伴って、モード表示が変更されるとともに、倍速表示及び変更操作案内表示が変更される。なお、１．５倍速、２倍速及び０．５倍速の場合の倍速表示及び変更操作案内表示は、上記再生開始直後における各再生画面ＳＧ２，ＳＧ３，ＳＧ４の場合と同様である。また、再生速度の変更操作時には、１倍速で再生する場合にも、倍速表示及び変更操作案内表示が表示される。すなわち、再生開始直後における１倍速での再生時には、倍速表示及び変更操作案内表示は表示されないが、この状態で再生速度を変更し、再度１倍速に戻した場合の再生画面（図示省略）には、図９に示すように、通常再生モード表示１０１に加えて倍速表示１１１及び変更操作案内表示１１５，１１６が表示される。
【００９４】
また、映像コンテンツの再生時に、ユーザが左方向キー２０Ｌを押下すると、早戻しモードに移行し、映像コンテンツが低速で早戻し再生される。この早戻し再生時には、映像のみが出力され、音声は出力されない。早戻しモードにおいて、ユーザが左方向キー２０Ｌを押下すると、早戻し速度が段階的（低速→中速→高速）に速くなる。図１６では、低速での早戻し時の再生画面ＳＧ５と、中速での早戻し時の再生画面ＳＧ６と、高速での早戻し時の再生画面ＳＧ７とを、上下に配置して示している。早戻し時の各再生画面ＳＧ５，ＳＧ６，ＳＧ７には、それぞれ早戻しモード表示１０２と、そのときの早戻し速度を示す表示１０４とが表示される。表示１０４は、低速の場合には「早戻し１」の文字及び丸数字１（図１３に拡大図を示す）を含み、中速の場合には「早戻し２」の文字及び丸数字２を含み、高速の場合には「早戻し３」の文字及び丸数字３を含む。
【００９５】
また、映像コンテンツの再生時に、ユーザが右方向キー２０Ｒを押下すると、早送りモードに移行し、映像コンテンツが低速で早送り再生される。この早送り再生時には、映像のみが出力され、音声は出力されない。早送りモードにおいて、ユーザが右方向キー２０Ｒを押下すると、早送り速度が段階的（低速→中速→高速）に速くなる。図１６では、低速での早送り時の再生画面ＳＧ８と、中速での早送り時の再生画面ＳＧ９と、高速での早送り時の再生画面ＳＧ１０とを、上下に配置して示している。早送り時の各再生画面ＳＧ８，ＳＧ９，ＳＧ１０には、それぞれ早送りモード表示１０３と、そのときの早送り速度を示す表示１０５とが表示される。表示１０５は、低速の場合には「早送り１」の文字及び丸数字１（図１４に拡大図を示す）を含み、中速の場合には「早送り２」の文字及び丸数字２を含み、高速の場合には「早送り３」の文字及び丸数字３を含む。
【００９６】
また、通常再生モードにおける映像コンテンツの再生時にユーザが○ボタン２０Ａを押下すると、一時停止モードに移行し、映像コンテンツが静止画像（図示省略）として表示される。この静止画像には、図１５に示す一時停止モード表示１０６が表示される。
【００９７】
さらに、早戻しモード、早送りモード又は一時停止モードにおいて、ユーザが○ボタン２２Ａを押下する（通常再生モードへの変更指示を入力する）と、映像コンテンツが通常再生モードで再生される。このとき、倍速情報として記憶されている再生速度が１倍速である場合は、映像コンテンツが１倍速で再生されるとともに、再生画面ＳＧ１に示すように、通常再生モード表示１０１のみが表示される。一方、倍速情報として記憶されている再生速度が１倍速以外である場合は、その再生速度（倍速）で映像コンテンツが再生されるとともに、再生画面ＳＧ２，ＳＧ３，ＳＧ４に示すように、通常再生モード表示１０１と倍速表示１１２，１１３，１１４と変更操作案内表示１１５，１１６とが表示される。
【００９８】
このように、本実施形態によれば、通常再生モードにおいて、映像及び音声をユーザの要求に応じた速度で再生させることができる。すなわち、ユーザは、映像コンテンツを視聴する際に、自分にとって適正な速度で再生させて視聴することができるので、利便性が良い。
【００９９】
また、通常再生モードにおいて、再生速度を変更する場合には、その変更に伴って倍速表示が表示されるので、ユーザは、現在の再生速度を容易に認識することができる。
【０１００】
また、倍速表示とともに変更操作案内表示が表示されるので、ユーザは、再生速度を変更する際の操作を容易に行うことができる。
【０１０１】
また、映像コンテンツの再生開始時や他のモードから通常再生モードへの変更時において、倍速情報として記憶されている再生速度が１倍速である場合は、倍速表示及び変更操作案内表示が表示されない。すなわち、ユーザが通常再生モードにおける再生速度の変更操作を全く行っていない場合、通常再生モードでは、常に倍速表示と変更操作案内表示とが表示されない。従って、再生速度の変更操作を全く行わないユーザにとって、煩わしい表示が行われず、利便性が良い。
【０１０２】
一方、映像コンテンツの再生開始時や他のモードから通常再生モードへの変更時、倍速情報として記憶されている再生速度が１倍速以外である場合は、倍速表示及び変更操作案内表示が表示される。すなわち、ユーザが通常再生モードにおける再生速度の変更操作を行うことによって、通常再生モードにおける再生速度を１倍速以外に設定していた場合、通常再生モードでは、常に倍速表示と変更操作案内表示とが表示される。従って、通常再生モードにおける再生速度を１倍速以外に設定しているユーザは、通常再生モードの開始時にその再生速度を認識することができ、利便性が良い。
【０１０３】
[実施形態２]
次に、本発明の第２の実施形態について説明する。以下、上記実施形態１と共通する部分については、その説明を省略する。
【０１０４】
本実施形態においては、メインメモリ４３は、映像コンテンツのカテゴリと通常再生モードにおける再生速度（倍速情報）とを対応付けたテーブル（図１７参照）を有する。各カテゴリ及び倍速情報は、予め設定されていてもよい。また、映像コンテンツを通常再生モードで視聴している間に実行されたユーザの倍速変更指示に応じて、その映像コンテンツのカテゴリの倍速情報が設定・記憶されてもよい。さらに操作入力部２に対するユーザからの所定の操作入力によって設定されてもよい。
【０１０５】
本実施形態では、映像コンテンツがそのカテゴリを表すカテゴリ情報を含んだ状態で記憶媒体（光ディスクやメモリカードＭなど）に記憶されている場合、ＣＰＵ４１は、当該映像コンテンツの再生を開始するときに、映像コンテンツのカテゴリを表すカテゴリ情報を記憶媒体から取得し、取得したカテゴリ情報に対応した倍速情報（カテゴリ別倍速情報）をテーブル（図１７）から読み出して、倍速情報記憶領域４６の倍速情報を読み出した倍速情報に更新する。
【０１０６】
本実施形態によれば、ユーザは、再生速度の変更操作を要することなく、映像コンテンツを、そのカテゴリに応じた適切な再生速度で視聴することができる。
【０１０７】
また、テーブルにおける各カテゴリ及び倍速情報を、ユーザによって変更可能に構成することにより、各ユーザは、再生速度の変更操作を要することなく、自分にとって適正な再生速度で映像コンテンツを視聴することができる。
【０１０８】
[実施形態３]
次に、本発明の第３の実施形態について説明する。以下、上記実施形態１と共通する部分については、その説明を省略する。
【０１０９】
本実施形態においては、メインメモリ４３は、記憶媒体に記憶された各映像コンテンツ（ＣＴＳ１、ＣＴＳ２、ＣＴＳ３・・・）と再生速度（倍速情報）とを対応付けたテーブル（図１８参照）を有する。各倍速情報は、ユーザが当該映像コンテンツを通常再生モードで実際に視聴した際に、変更・設定した最新の倍速情報が設定・記憶されてもよく、操作入力部２に対するユーザからの所定の操作入力によって設定されてもよい。
【０１１０】
本実施形態では、以前に視聴した映像コンテンツを再度視聴する場合、ＣＰＵ４１は、当該映像コンテンツの再生を開始するときに、その映像コンテンツに対応した倍速情報（コンテンツ別倍速情報）をテーブル（図１８）から読み出して、倍速情報記憶領域４６の倍速情報を読み出した倍速情報に更新する。
【０１１１】
本実施形態によれば、ユーザは、同じ映像コンテンツを繰り返して視聴する場合、再生速度の変更操作を要することなく、その映像コンテンツを適切な再生速度で視聴することができる。例えば、映像コンテンツＣＴＳ２が英会話講座であり、その映像コンテンツＣＴＳ２（英会話講座）をスロー再生（０．５倍速）で視聴した後、映像コンテンツＣＴＳ２（英会話講座）を再度視聴する場合には、再生速度の変更操作を要することなく、スロー再生で視聴することができる。
【０１１２】
なお、上記実施形態２又は３において、カテゴリ別倍速情報やコンテンツ別倍速情報を、上記第１実施形態の１倍速（標準速度）と同様に扱ってもよい。例えば、他のモードから通常再生モードに変更された場合において、カテゴリ別倍速情報やコンテンツ別倍速情報に対応する再生速度で再生するときには、倍速表示及び変更操作案内表示を表示せず、カテゴリ別倍速情報やコンテンツ別倍速情報に対応する再生速度以外の再生速度（１倍速を含む）で再生するときには、倍速表示及び変更操作案内表示を表示してもよい。
【０１１３】
また、上述の各実施形態では、携帯型の端末装置１を例に説明したが、本発明は、これに限定されるものではなく、映像コンテンツの再生機能を有する種々の装置（例えば、ＤＶＤ再生装置、ＨＤＤ再生装置など）に適用可能である。
【０１１４】
すなわち、上述の各実施形態の説明は本発明の一例であり、本発明は上述の各実施形態に限定されることはなく、本発明に係る技術的思想を逸脱しない範囲であれば、上述の実施の形態以外であっても種々の変更が可能であることは勿論である。
【産業上の利用可能性】
【０１１５】
本発明は、映像コンテンツを再生する再生装置に用いて好適である。
【図面の簡単な説明】
【０１１６】
【図１】本発明の一実施形態に係る端末装置の本体前面を示す図である。
【図２】図１の端末装置の本体背面を示す図である。
【図３】図１の端末装置の主要部の概略的な電気的構成の一例を示すブロック図である。
【図４】図１の端末装置の機能的構成を模式的に示すブロック図である。
【図５】図３のメインメモリを模式的に示すブロック図である。
【図６】倍速情報表示フラグ設定処理を示すフローチャートである。
【図７】モード情報等表示処理を示すフローチャートである。
【図８】通常再生モード表示の模式図である。
【図９】通常再生モード表示と倍速表示（１倍速）とを共に示す表示態様の模式図である。
【図１０】通常再生モード表示と倍速表示（１．５倍速）とを共に示す表示態様の模式図である。
【図１１】通常再生モード表示と倍速表示（２倍速）とを共に示す表示態様の模式図である。
【図１２】通常再生モード表示と倍速表示（０．５倍速）とを共に示す表示態様の模式図である。
【図１３】早戻しモード表示の模式図である。
【図１４】早送りモード表示の模式図である。
【図１５】一時停止モード表示の模式図である。
【図１６】本実施形態に係る再生画面の状態の遷移を示すフローチャートである。
【図１７】映像コンテンツのカテゴリと倍速情報とを対応付けたテーブルを模式的に示す図である。
【図１８】映像コンテンツと倍速情報とを対応付けたテーブルを模式的に示す図である。
【符号の説明】
【０１１７】
１・・・端末装置、２・・・操作入力部、３・・・表示部、５・・・赤外線ポート、１１・・・スピーカ、１２・・・マイクロフォン、４０・・・制御系、４１・・・ＣＰＵ、４２・・・周辺装置制御部、４３・・・メインメモリ、４４・・・ＲＯＭ、５０・・・グラフィックシステム、５１・・・ＧＴＥ、５２・・・ＧＰＵ、５３・・・フレームバッファ、６０・・・サウンドシステム、６１・・・ＳＰＵ、６２・・・サウンドバッファ、７０・・・光ディスク制御部、７１・・・光ディスク装置、７２・・・デコーダ、７３・・・バッファ、７４・・・サブＣＰＵ、８０・・・無線通信部、９０・・・インターフェース部、９１・・・ＰＩＯ、９２・・・ＳＩＯ、１０１・・・通常再生モード表示（モード表示）、１０２・・・早戻しモード表示（モード表示）、１０３・・・早送りモード表示（モード表示）、１０６・・・一時停止モード表示（モード表示）、１１１〜１１４・・・倍速表示、１１５，１１６・・・変更操作案内表示、Ｍ・・・メモリカード
【図１】
0004563473.tif 000002
【図２】
0004563473.tif 000003
【図３】
0004563473.tif 000004
【図４】
0004563473.tif 000005
【図５】
0004563473.tif 000006
【図６】
0004563473.tif 000007
【図７】
0004563473.tif 000008
【図８】
0004563473.tif 000009
【図９】
0004563473.tif 000010
【図１０】
0004563473.tif 000011
【図１１】
0004563473.tif 000012
【図１２】
0004563473.tif 000013
【図１３】
0004563473.tif 000014
【図１４】
0004563473.tif 000015
【図１５】
0004563473.tif 000016
【図１６】
0004563473.tif 000017
【図１７】
0004563473.tif 000018
【図１８】
0004563473.tif 000019